(57)【要約】【課題】表示装置の放置状態（ユーザが画像（映像）を観察していない状態）をより適切に判断し、この判断に基づいて適切な省電力を実現する。【解決手段】テレビジョン映像を表示しているとき、表示部５の姿勢と表示部５の表示方向を求める。表示部５の姿勢と表示部５の表示方向が一致しない場合、計時を開始し、予め定められた所定の時間を超過するか否かを判断する。そして、所定の時間を経過すると判断する場合は、制御部１はテレビジョン放送の表示を停止する旨の報知を行う。【選択図】図７
2007258801.tif 000002
【特許請求の範囲】
【請求項１】
画像データ供給手段と、この画像データ供給手段によって供給された画像データに基づく画像を表示する表示手段とを備えた画像表示装置において、
前記装置の上下方向の姿勢を検出する姿勢検出手段と、
この姿勢検出手段が検出した上下方向と前記表示手段に表示される画像の上下方向とを比較し、当該装置と前記画像との上下方向が一致するか否かを判別する判別手段と、
この判別手段による判別の結果、当該装置と前記画像との上下方向とが一致しない場合、所定時間後に前記画像の表示を停止する制御手段と、
を備えることを特徴とする画像表示装置。  
【請求項２】
ユーザの入力操作に応じて、前記制御手段に信号を入力する入力手段を更に備え、
前記制御手段は、前記所定時間後に、前記所定時間内に前記入力手段から入力された信号を検出しない場合に前記画像の表示を停止することを特徴とする請求項１に記載の画像表示装置。
【請求項３】
ネットワークを介して転送される画像データを受信する通信手段を更に備え、
前記画像データ供給手段は、前記通信手段により前記画像データを受信するとともに受信した画像データを供給することを特徴とする請求項１又は２に記載の画像表示装置。
【請求項４】
放送受信手段を更に備え、
前記画像データ供給手段は、前記放送受信手段により受信された放送電波から画像データを生成して前記表示手段へ供給することを特徴とする請求項１又は２に記載の画像表示装置。
【請求項５】
撮像手段を更に備え、
前記画像データ供給手段は、前記撮像手段により撮像される画像信号から画像データを生成して前記表示手段へ供給することを特徴とする請求項１又は２に記載の画像表示装置。
【請求項６】
前記姿勢検出手段は、地磁気を検出し、互いに直交する３軸方向の座標値に変換する地磁気センサからなることを特徴とする請求項１から５の何れか一項に記載の画像表示装置。
【請求項７】
画像データの供給を受け、当該画像データに基づいて画像の表示を行う画像表示装置の制御方法であって、
当該装置の上下方向の姿勢を検出する姿勢検出ステップと、
この姿勢検出ステップで検出した上下方向と表示されている画像の上下方向とを比較し、当該装置と前記画像との上下方向が一致するか否かを判別する判別ステップと、
この判別ステップによる判別の結果、当該装置と前記画像との上下方向とが一致しない場合、所定時間後に前記画像の表示を停止する制御ステップと、を含むことを特徴とする画像表示制御方法。
【請求項８】
コンピュータを、
画像データ供給手段、
この画像データ供給手段によって供給された画像データに基づく画像を表示部に表示する表示手段、
当該コンピュータを備える装置の上下方向の姿勢を検出する姿勢検出手段、
この姿勢検出手段が検出した上下方向と前記表示手段に表示される画像の上下方向とを比較し、前記装置と前記画像との上下方向とが一致するか否かを判別する判別手段、
この判別手段の判別の結果、前記装置と前記画像との上下方向が一致しない場合、所定時間後に前記画像の表示を停止する制御手段、
として機能させることを特徴とする画像表示プログラム。
【発明の詳細な説明】
【技術分野】
【０００１】
本発明は、表示装置本体の姿勢と画像（映像）の表示方向とに基づいて表示装置の使用状況を判別して省電力を行う画像表示装置、画像表示制御方法及び画像表示プログラムに関する。
【背景技術】
【０００２】
携帯電話機を始めとする各種の携帯型電子機器（いわゆるモバイル端末）に関する技術の発達は目覚しく、近年ますます多機能化の傾向にある。例えば、文章作成、表計算、スケジュール管理、電子ゲーム、通信／通話機能及び撮像機能を始めとして、従来、デスクトップＰＣ（パーソナルコンピュータ）やワークステーション等の大型のコンピュータ装置上で実現されてきた各種の機能が携帯型電子機器で実現可能となっている。特に、近年では、地上波デジタル放送の実用化にともない、従来からのアナログ地上波を使用したテレビジョン放送の視聴機能に加えて、携帯型電子機器での地上波デジタルテレビジョン放送の視聴機能も有する携帯型電子機器が開発されている。
【０００３】
携帯型電子機器が多機能化することは、１台の携帯型電子機器を所有するだけで様々な処理を実行することができ便利であるが、これの反射的効果として消費電力の確保という問題が発生する。このため、携帯型電子機器の省電力に関する種々の研究・開発が行われている。
【０００４】
例えば、特許文献１には、無線放送の受信を行う受信機と、受信機から無線通信により画像信号を受信する表示部とからなるテレビジョン受像機であって、テレビジョン受像機に設けられた外部入力切替手段により表示部の入力が外部入力に切換えられている場合、受信機にこの切換え情報を送信し、受信機はこの情報に基づいて電源を制御する技術が開示されている。つまり、テレビジョン受像機が外部入力に切換えられ、受信機が送信した画像信号を視聴できない状態にあるにもかかわらず受信機は無線放送の受信を行っており、この分の電力が無駄となる。そこで、外部入力に切換えられている場合、受信機に外部入力に切換えている旨の情報を送信する。制御手段は、この情報に基づいて受信機の電源を制御することで省電力を実現することができるようになっている。
【０００５】
また、特許文献２には、デジタル放送の受信感度を検出し、この受信感度の良し悪しに応じてデジタル放送受信回路を制御する制御ＩＣへの電力供給を制御する電源制御部を備えることで省電力化を実現するデジタル放送受信機に関する発明が開示されている。
【特許文献１】特開２００５−１９７８５４号公報
【特許文献２】特開２００４−３６４０００号公報
【発明の開示】
【発明が解決しようとする課題】
【０００６】
ところで、特許文献１に開示された発明は、テレビジョン受像機の入力が外部入力に切換えられているという情報に基づいてテレビジョン受像機への電力供給を制御するものである。この情報は、ユーザがテレビジョン放送を視聴しない（入力を切換えている）という明確な意思に依存して受信機に送られるものである。従って、テレビジョン放送を視聴する状態（外部入力に切換えられているという情報が受信機に送信されていない状態）では、ユーザがテレビジョン放送を視聴しているか否かを判別することができない。よって、ユーザの電源の切り忘れ等で生ずる電力の浪費を防止することはできない。
【０００７】
また、特許文献２に開示の発明は、デジタル放送の受信感度が悪くなると自動的に電源が制御されるため実用性に欠けるという問題がある。一般に、ユーザは、受信感度が悪化すればデジタル放送受信機の向きを変更するなどして感度のよい位置を探るものである。通常、このような向きや位置を変更することで良好な受信感度を得ることも多く、特に、関心の有る放送を視聴している場合には、受信状態の悪化のみをもって即座に電源が切られるのは返って使い勝手が悪くなる虞もある。
【０００８】
更には、携帯型電子機器の多機能化は、アプリケーション（ソフトウェア）の処理に依存するところが多い。このため一般に表示装置には、一定時間外部入力等を検出できない場合にスクリーンセイバ機能を実行するなどして省電力を図ることも行われている。しかしながら、スクリーンセイバ機能は、アプリケーションの実行そのものを停止するわけではないため、制御系（例えば、ＣＰＵ）は通電状態にある。
【０００９】
本発明はこのような課題を解決するためになされたものであり、その目的とするところは、多機能化と省電力化という相反する関係にある問題を解決するために、画像表示装置の放置状態（ユーザが画像（映像）を観察していない状態）をより適切に判断し、この判断に基づいて適切な省電力を実現することにある。
【課題を解決するための手段】
【００１０】
上記課題を解決するため、画像データ供給手段と、この画像データ供給手段によって供給された画像データに基づく画像を表示する表示手段とを備えた画像表示装置において、
前記装置の上下方向の姿勢を検出する姿勢検出手段と、
この姿勢検出手段が検出した上下方向と前記表示手段に表示される画像の上下方向とを比較し、当該装置と前記画像との上下方向が一致するか否かを判別する判別手段と、
この判別手段による判別の結果、当該装置と前記画像との上下方向とが一致しない場合、所定時間後に前記画像の表示を停止する制御手段と、
を備えることを特徴とする。
【００１１】
ユーザの入力操作に応じて、前記制御手段に信号を入力する入力手段を更に備え、
前記制御手段は、前記所定時間後に、前記所定時間内に前記入力手段から入力された信号を検出しない場合に前記画像の表示を停止することを特徴とする。
【００１２】
ネットワークを介して転送される画像データを受信する通信手段を更に備え、
前記画像データ供給手段は、前記通信手段により前記画像データを受信するとともに受信した画像データを供給することを特徴とする。
【００１３】
放送受信手段を更に備え、
前記画像データ供給手段は、前記放送受信手段により受信された放送電波から画像データを生成して前記表示手段へ供給することを特徴とする。
【００１４】
撮像手段を更に備え、
前記画像データ供給手段は、前記撮像手段により撮像される画像信号から画像データを生成して前記表示手段へ供給することを特徴とする。
【００１５】
前記姿勢検出手段は、地磁気を検出し、互いに直交する３軸方向の座標値に変換する地磁気センサからなることを特徴とする。
【００１６】
画像データの供給を受け、当該画像データに基づいて画像の表示を行う画像表示装置の制御方法であって、
当該装置の上下方向の姿勢を検出する姿勢検出ステップと、
この姿勢検出ステップで検出した上下方向と表示されている画像の上下方向とを比較し、当該装置と前記画像との上下方向が一致するか否かを判別する判別ステップと、
この判別ステップによる判別の結果、当該装置と前記画像との上下方向とが一致しない場合、所定時間後に前記画像の表示を停止する制御ステップと、を含むことを特徴とする。
【００１７】
コンピュータを、
画像データ供給手段、
この画像データ供給手段によって供給された画像データに基づく画像を表示部に表示する表示手段、
当該コンピュータを備える装置の上下方向の姿勢を検出する姿勢検出手段、
この姿勢検出手段が検出した上下方向と前記表示手段に表示される画像の上下方向とを比較し、前記装置と前記画像との上下方向とが一致するか否かを判別する判別手段、
この判別手段の判別の結果、前記装置と前記画像との上下方向が一致しない場合、所定時間後に前記画像の表示を停止する制御手段、
として機能させることを特徴とする。
【発明の効果】
【００１８】
本発明によれば、画像表示装置の上下方向と表示される画像の上下方向とを比較して、当該装置と前記画像との上下方向が一致するか否かを判別し、判別の結果、当該装置と前記画像との上下方向とが一致しない場合、所定時間後に前記画像の表示を停止するので、放置状態（ユーザが画像（映像）を観察していない状態）をより適切に判断し、この判断に基づいて適切な省電力を実現することができる。
【発明を実施するための最良の形態】
【００１９】
次に、最良の実施形態について説明する。本実施の形態では、携帯電話機を例として説明する。その中でも、主に画像や映像の表示を行う表示部が設けられた蓋筐体と、主に制御系やダイヤルキーを始めとする各種入力キーを備えた入力部が設けられた本体筐体とを回動自在に連結するヒンジが設けられた携帯電話機１００を例として説明を行う。図２に携帯電話機１００の外観構成を表した斜視図を示す。
【００２０】
先に述べたように、携帯電話機１００には、本体筐体３０の端部と、蓋筐体３１の端部とを回動自在に連結する第１ヒンジ部３５が設けられている。第１ヒンジ部３５は、蓋筐体３１に設けられた表示部５と、本体筐体３０に設けられた入力部４とが対向する方向に展開することができるようになっている（以下、展開した状態を「開状態」、閉じた状態を「閉状態」という。）。更に、携帯電話機１００の蓋筐体３１は、第１ヒンジ部３５と連結される蓋筐体連結部３３と、表示部５及び受話部１９が設けられた蓋筐体本体部３２とからなり、両者が第２ヒンジ部３６により連結された構造を有する。第２ヒンジ部３６は、図２に示す如く、本体筐体３０と蓋筐体３１とが展開された場合に、蓋筐体本体部３２を蓋筐体連結部３３に対して左（又は右）方向に回転可能に連結するものである。即ち、携帯電話機１００は、２軸ヒンジ機構を採用し、本体筐体３０と蓋筐体３１とを展開した後、蓋筐体本体部３２と蓋筐体連結部３３とを回転することにより表示部５を種々の方向に向けることができるようになっている。一例を示すと、図３は、閉状態で蓋筐体本体部３２の表示部５側を外側に１８０度転回させた携帯電話機１００の外観を表している。このような態様で映像を視聴することも可能となっている。
【００２１】
また、図３に示すように、表示部５は縦長の形状を有し、通常、縦方向を画像の上下方向として表示するようになっている。また、後述するように、携帯電話機１００はテレビジョン放送の受信機能を有するため、図４に示すように、画像の縦横方向（主走査方向及び副走査方向）をそれぞれ逆にし、横長に表示する事もできるようになっている（以下、この横長の表示を「ビューワモード画面」という。）。これは、通常、携帯電話機に表示する画面の表示方向は縦長を基調とするが、テレビジョン放送は横長を基調とする（民生用のテレビジョン等と同様に縦横比３：４又は９；１６）。従って、テレビジョン放送の表示に適応した好適なテレビジョン視聴を行うことができるようになっている。なお、図４に示すように横長に表示する場合は、携帯電話機１００を９０度横（図４では右方向）に回転させて視聴することになる。
【００２２】
次に、図１のブロック図に、携帯電話機１００の機能的構成を示す。携帯電話機１００は、制御部１、ＲＯＭ２、ＲＡＭ３、入力部４、表示部５、フラッシュメモリ６、テレビチューナモジュール７、音声出力部８、無線部９、通信制御部１０、地磁気センサ１１、回転角度センサ１２、撮像部１３、グラフィックアクセラレータ１４、送話部１８、受話部１９、テレビ放送用アンテナ２１、アドレス・データバス処理部２２、アンテナ２３及び充電池２４から構成され、これらがバス２９により電気・電子的に接続されている。
【００２３】
制御部１は、ＲＯＭ２や記録媒体のとしてのフラッシュメモリ６に記憶されたオペレーションプログラムや各種のアプリケーションプログラムを読み出し、ワークエリアとしてのＲＡＭ３上に展開して携帯電話機１００の全体制御を行う。制御部１から各機能部に送信する制御信号や各機能部から制御部１又は他の機能部に送信されるデータ等は、バス２９を介してアドレス・データバス処理部２２により監視され、所定の処理が実行される。
特に、本実施の形態において、制御部１はプログラムの指示に従い「省電力処理」を実行することを特徴とする。「省電力処理」とは、携帯電話機１００の姿勢と表示部５の表示方向等に基づいて一定の機能を停止させる処理であり、携帯電話機１００の省電力を自動的に行う処理である。詳細については後述する。
【００２４】
入力部４は、ダイヤルキーやファンクションキー等の各種の操作入力キーから構成される。ＲＡＭ３上には、夫々のキーの押下により送信される指示信号に対応するコマンドを示したテーブルが予め展開され、制御部１はこのテーブルを参照しながらユーザからの指示を理解し実行するようになっている。
特に、後述する「省電力処理」において、この入力部４から入力される指示信号を検出して、携帯電話機１００の一定の機能を停止するか否かの判断に使用するように構成している。
【００２５】
表示部５は、ＴＦＴ素子や有機ＥＬ素子から構成されるフラットディスプレイパネルであり、グラフィックアクセラレータ１４から供給される映像データに基づいて各種の映像や画像を表示する。
【００２６】
無線部９は、コイルアンテナ等のアンテナ２３を介して無線通信網（無線電話網を含む）上の無線基地局との間で無線通信を行う。無線通信で送受信される無線信号の変復調方式をしては、ＰＳＫ（Ｐｈａｓｅ  Ｓｈｉｆｔ  Ｋｅｙｉｎｇ）方式、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式、ＣＤＭＡ（Ｃｏｄｅ  Ｄｉｖｉｓｉｏｎ  Ｍｕｌｔｉｐｌｅ  Ａｃｃｅｓｓ）方式等のいずれを利用することとしてもよい。
【００２７】
通信データ処理部２６は、ＣＥＬＰ（Ｃｏｄｅ−Ｅｘｃｉｔｅｄ  Ｌｉｎｅａｒ  Ｐｒｅｄｉｃｔｉｏｎ）系ボコーダ及び音声復号処理回路、パケットデータ生成回路等を有して構成され、受信時には無線部９が受信した受信データのデコードを行い、送信時にはオーディオインターフェース２５から出力された送話データや制御部１から出力された各種データをエンコードして送信データを生成する。オーディオインターフェース２５は、通信データ処理部２６でデコードされた受信データに含まれる受話データに基づいた音声を受話部１９から音声出力させたり、送話部１８から入力されたユーザの音声をデジタル信号の送話データに変換したりする。
【００２８】
また、携帯電話機１は、アンテナ２３を介してインターネット等のネットワーク環境と通信接続するＷｅｂブラウザが搭載されており、このＷｅｂブラウザの通信接続機能によりインターネット上に設けられたサーバマシンから圧縮された映像ファイルを所定の転送レートでダウンロードにより取得し、適宜表示部５で再生を行ういわゆるストリーミング機能を有する。具体的には、通信データ処理部２６、無線部９及びアンテナ２３を介してインターネットと接続を行い、所定のサーバに登録されているホームページの画像データを受信し表示部５に表示する。このホームページ上に配置されているストリーミングコンテンツのリンクが、入力部４を介してユーザから選択されると、Ｗｅｂブラウザは当該ホームページのデータを格納するサーバからストリーミングコンテンツを格納するサーバマシンのアドレスが示すメタファイルの要求信号を送信する。その後、メタファイルを受信すると、制御部１は、ＲＯＭ２に記録されているストリーミングアプリケーションを読み出し、ＲＡＭ３に展開して起動を開始するようになっている。ストリーミングアプリケーションは、メタファイルのアドレスに基づいてストリーミングコンテンツを格納するサーバマシンと通信し、コンテンツデータの送信を要求する。サーバマシンから圧縮され且つ所定のパケットに分割されたペイロード単位でダウンロードを行い、ＲＡＭ３で圧縮データの伸長を行う。各ペイロードに付されたＲＴＰヘッダに記述されている通し番号とタイムスタンプに基づいて、伸長した画像データを順次ＲＡＭ３のバッファに送信し、所定分の画像データが蓄されると表示部５に画像データを順次供給するようになっている。
なお、ストリーミングの伝送方式はＵＤＰ／ＩＰ方式、ＴＣＰ／ＩＰ方式等を適用することができる。
【００２９】
音声出力部８は、テレビチューナモジュール７を介して取得したテレビジョン放送の音声データや、予めユーザが他の電子機器で記録した音声データを出力する機能部である。音源ＬＳＩ１５が、フラッシュメモリ６等に記録した音声データに基づいてアナログの音声信号を生成し、このアナログの音声信号をＡＭＰ１６で増幅する。その後、スピーカ１７Ｌ及び１７Ｒを介して音声を出力するようになっている。
【００３０】
撮像部１３は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の光電変換素子から構成され、被写体の光学画像を捉えて電子画像信号に変換する。変換された電子画像信号は図示しないＣＤＳ回路（不図示）でＣＤＳ変換がおこなわれた後、Ａ／Ｄ変換器（不図示）でデジタルの画像データが生成される。生成された画像データは、画像処理ＤＳＰ等により圧縮処理が行われ、その後フラッシュメモリ６に格納される。この一連の動作はＲＯＭ２に記憶された撮像アプリケーションとの協働により実行されるものである。
撮像アプリケーションとの協働による他の機能として電子ファインダ機能と撮像画像の再生機能がある。電子ファインダ機能は、撮像中に撮像部１３で捉えた画像を表示部５上に順次出力してライブで表示するものである。
撮像画像の再生機能は、撮像部１３で撮像してフラッシュメモリ６に記録した画像を事後表示部５に表示させて観察することもできる機能である。
【００３１】
また、携帯電話機１００は、テレビジョン用の地上波を受信して携帯型テレビジョンとして使用することができるようになっている。具体的には、テレビ放送用アンテナ２１を介してＯＦＤＭ変調されているテレビジョン放送用の地上波（搬送波）を受信し、テレビチューナモジュール７で復調される。テレビチューナモジュール７は、制御部１の指示信号に基づいて、復調したデータをＭＰＥＧ２トランスポートストリーム構成の圧縮された符号化デジタル情報としてグラフィックアクセラレータ１４に供給する。グラフィックアクセラレータ１４は、この符号化されたデジタル情報を復調して映像／音声／文字情報を取得して表示部５に供給し、テレビ動画として描画するようになっている。取得した音声情報は、音声出力部８に供給され、音源ＬＳＩ１５によりアナログの音声信号に変換された後、ＡＭＰ１６で増幅され、スピーカ１７Ｌ、１７Ｒを介して音声出力が行われるようになっている。
なお、本実施の携帯ではデジタル地上波の受信を可能とするが、従来からのアナログ地上波を受信する構成を付加してもよい。
【００３２】
地磁気センサ１１は、地磁気を検出して携帯電話機１００の姿勢を検出するセンサである。Ｘ軸（前後方向）、Ｙ軸（左右方向）及びＺ軸（上下方向）の互いに直交する３軸方向の磁気をそれぞれ検出する磁気センサ（例えば、ホール素子やＭＩ（Ｍａｇｎｅｔｏ  Ｉｍｐｅｄａｎｃｅ）素子、アモルファス磁性体）を備えて構成される。この３軸方向の各値に従って携帯電話機１００の３次元的な姿勢を検出することができる。
【００３３】
開閉センサ２７は、プッシュ型スイッチ等から構成され、ＯＮ状態（プッシュ時）では、通電を遮断し、ＯＦＦ状態（プッシュの解除）では通電を行うようになっている。即ち、携帯電話機１００が閉状態の時は、蓋筐体３１に設けられた凸部２８が本体筐体３０に設けられた開閉センサ２７を押下することにより通電が遮断され、制御部１は蓋筐体３１が閉状態であることを認識する。逆に、蓋筐体３１の展開により凸部２８が開閉センサ２７と離間すると、制御部１に通電が開始され、携帯電話機１００が開状態であることを認識するようになっている。
【００３４】
ところで、携帯電話機１００は２軸ヒンジ機構を有するため、表示部５の姿勢が必ずしも本体筐体３０の姿勢となるわけではない。例えば、図５に示すように、開状態で携帯電話機１００に垂直な姿勢をとり且つ画面の表示方向が縦で有る場合は、表示部５の表示方向は本体筐体３０の上下方向の姿勢と同じである。しかしながら、図６に示すように、図５の状態から蓋筐体本体部３２を第２ヒンジ方向に１８０度回転させて蓋筐体３１の表裏を逆にし、その後、蓋筐体３１を第１ヒンジ３５方向に戻して閉状態とした場合、表示部５の画面は上下が逆転することとなる。このような上下が逆転した画面を長時間視聴することは一般的に考えにくい。従って、このような場合も、携帯電話機１００が放置状態にあるとみなす方が実用上好適である。そこで、第２ヒンジ部３６の近傍に回転角度センサ１２を設け、「省電力処理」において、第２ヒンジ部３６を軸として回転した蓋筐体本体部３２の回転角度を検出して制御部１に送信するようになっている。制御部１は、この回転角度をも考慮に入れて携帯電話機１００の放置状態を判断することとなる。
【００３５】
次に、携帯電話機１００で実行される「省電力処理」について説明する。
先に述べたように、「省電力処理」とは、携帯電話機１００の姿勢と表示部５の表示方向等に基づいてテレビジョン放送表示機能を停止させる処理であり、携帯電話機１００の放置状態を判断して省電力を自動的に行う処理である。例えば、テレビジョン放送の視聴時に、地磁気センサ１１及び回転角度センサ１２から供給される各検出信号に基づいて、携帯電話機１００が現在おかれている姿勢、表示部５が視線に対しておかれている表示方向等を認識し、これらの条件からユーザが現在表示部５を観察しているか否か（テレビジョン放送を受信しているか否か）を判断する。その結果、ユーザが表示部５を観察していないと判断する場合に、テレビジョン放送表示機能を実現するアプリケーションプログラムの起動を停止し、省電力を行うようになっている。図７に示すフロー図を用いて「省電力処理」の処理手順を説明する。なお、以下の処理はプログラムの指示に基づいて制御部１のＣＰＵにより実行されるものである。
【００３６】
ステップＳ１０１で、制御部１は、ユーザによって入力部４が操作されることにより、地上波デジタル放送アプリケーションを起動する。
ステップＳ１０２で、制御部１はテレビチューナモジュール７に指示信号を送出し、テレビ放送用アンテナ２１を介して受信したＯＦＭＤ変調された搬送波を受信し、グラフィックアクセラレータ１４を介して表示部５に映像信号を供給してテレビジョン映像を表示する。
【００３７】
ステップＳ１０３で、制御部１は、地磁気センサ１１から３軸方向のデータを取得し、ステップＳ１０４で、携帯電話機１００の３次元的な姿勢を演算により求める。
【００３８】
次いで、ステップＳ１０５で、制御部１は、回転角度センサ１２から、蓋筐体本体部３２の回転角度データを取得する。
そして、ステップＳ１０６で、制御部１は、ステップＳ１０４及びＳ１０５で取得した携帯電話機１００の姿勢及び回転角度データから表示部５の姿勢を演算により求める。即ち、ステップＳ１０４で取得した、携帯電話機１００の３次元的な姿勢に基づいて回転角度センサ１２から取得した回転角度分の３次元的な移動を演算により求め、表示部５の３次元的な姿勢を求める。例えば、図３に示すように、閉状態で蓋筐体本体部３２が１８０度回転し、表示部５が外側に位置して且つ表示方向が正常である態様では、地磁気センサ１１から求めた携帯電話機１００の姿勢の上下方向が逆転しているのに対して表示部５の姿勢が逆となる（つまり上下が逆転していない）。携帯電話機１００を図３に示すような態様にしてテレビジョン放送の視聴をするのは通常の視聴スタイルである。そこで、表示部５の３次元的な姿勢を求め、より的確に携帯電話機１００の放置状態を判断する必要がある。
【００３９】
更に、ステップＳ１０７で、制御部１は、表示部５の表示モード（表示方向）データを取得する。即ち、ステップＳ１０５で取得した携帯電話機１００の３次元的な姿勢及びステップＳ１０４で取得した表示部５の３次元的姿勢からは、図３に示すように、２軸ヒンジの構造上の事情による表示方向の変化を的確に判断することができる。しかしながら、ビューワモード画面に設定している場合は、図４に示すように、表示部５は縦長の画面を上下方向とするのに対し、表示画像の表示方向は表示部５の左右方向を上下方向として表示してしまうことになる。この態様での長時間のテレビジョン視聴は通常考えにくいため、携帯電話機１００が放置状態にあると判断するのが適当である。従って、ビューワモード画面の表示に設定している旨の情報を取得し（例えば、地上波デジタル放送アプリケーションに含まれる設定テーブルのフラグを検出する。）、画像の表示方向を検出する。
【００４０】
ステップＳ１０８で、制御部１は、ステップＳ１０６で求めた表示部５の姿勢と、ステップＳ１０７で取得した表示部５の表示モードデータとに基づいて、両者が一致するか否かを判断する。なお、一致とは両者の完全な一致に限らず、両者のズレ量が予め定めた閾値の範囲にあるか否かを含む意味である。
また他の判断方法としては、表示部の３次元的な姿勢と表示方向との相関関係に対して、放置状態であるか否かが逐次定められたテーブルをＲＯＭ２に記憶しておき、このテーブルを参照しながら両者の一致又は不一致を判断する構成としてもよい。
制御部１は、表示部５の姿勢と表示部５の表示方向が一致しないと判断する場合、ステップＳ１０９に進む（ステップＳ１０８：ＮＯ）。逆に、制御部１は、表示部５の姿勢と表示部５の表示方向が一致すると判断する場合、ステップＳ１０３に戻る（ステップＳ１０８：ＹＥＳ）。
【００４１】
ステップＳ１０９で、制御部１は、カウンタにより計時を開始する。即ち、携帯電話機１００のような携帯型電子機器は、従来からの据え置き型のテレビジョン受像機と異なり、ユーザの都合や嗜好にあわせてあらゆる姿勢でテレビジョン放送を視聴できるという特徴がある。従って、携帯電話機１００や表示部５の３次元的な姿勢及び表示画像の表示方向といったデータのみでは、携帯電話機１００の放置状態を完全に判断できない虞も有る。
そこで、所定の時間の経過を待って放置状態の判断を行う様に構成している。
【００４２】
このような理由から、ステップＳ１１０で、制御部１は、ステップＳ１０８で計時を開始した時間が、予め定められた所定の時間を超過するか否かを判断する。ここで、所定の時間とは種々考えられるが、長すぎると省電力を実現できなくなるし、短すぎると実用上好ましくない。テレビジョン放送の視聴という行為を鑑みると、１０分あるいは２０分程度が好ましい。なお、この時間は例示であり携帯電話機１００の機能を何ら限定するものではない。
制御部１は、所定の時間を経過しないと判断する場合はステップＳ１１１に進む（ステップＳ１１０：ＮＯ）。逆に、所定の時間を経過すると判断する場合はステップＳ１１２に進む（ステップＳ１１０：ＹＥＳ）。
【００４３】
ステップＳ１１１で、制御部１は、外部作用による何らかの入力信号を検出するか否かの判断を行う。即ち、ステップＳ１０９で計時を開始した所定の時間が経過するまでの間に、例えば、入力部４からの指示信号を検出すること等、少なくとも携帯電話機１００の放置状態を否定する要素を検出するか否かを判断する。即ち、ステップＳ１０８及びステップＳ１０９で所定時間の経過を待つという処理の趣旨に鑑み、放置状態を的確に判断するとともに実用上の利便性を確保するためである。
なお、外部作用としては、回転角度センサ１２からの回転角度データの入力又は携帯電話機１００の開状態を検出するセンサ（不図示）からの検出信号の入力等、およそユーザが携帯電話機１００に対して何らかの外的要素を加えることにより生ずる信号等の変化であればよい。
制御部１は、上述の変化を検出しない場合、ステップＳ１１０に戻り、引き続き所定時間を経過するか否かを判断する（ステップＳ１１１：ＮＯ）。逆に、制御部１は、上述の変化を検出すると判断する場合、ステップＳ１０３（ステップＳ１１１：ＹＥＳ）に戻る。
【００４４】
ステップＳ１１２で、制御部１は、テレビジョン放送の表示を停止する旨の報知を行う。即ち、表示部５にテレビジョン放送の表示を停止する旨の画像を表示する。即ち、最終的な確認として、ユーザの視覚に直接問いかけを行い、表示状態の判断をより確実に行うためである。
なお。報知の手段は、これに限定されるものではなく、バイブレーション機能用の振動モータを使用してもよいし、音声出力部から音声案内又はピープ音等の報知音を出力してもよいし、音声着信や電子メール着信時等に点滅で着信等を報知するＬＥＤ等を点滅させてもよいし、これらを組み合わせてもよい。
【００４５】
ステップＳ１１３で、制御部１は、上述の各種信号の変化を検出するか否かを判断する。制御部１は、ステップＳ１１２で行ったユーザに対する報知に対する応答、即ち何らかの信号の変化を検出する場合、ステップＳ１０３に戻る（ステップＳ１１３：ＹＥＳ）。つまり、ユーザが映像を視聴しているものと判断する。逆に、制御部１は、上述の種々の信号の変化を検出しない場合、ステップＳ１１４に進む（ステップＳ１１３：ＮＯ）。制御部１は、携帯電話機１００が放置状態であると最終的に判断を行う。
【００４６】
ステップＳ１１４で、制御部１は、地上波デジタル放送用アプリケーションの起動を停止する処理を行い、表示部５に待受け画面を表示する処理を行う。
なお、ここで携帯電話機１００の電源を切断する処理を行うことも当然に可能であるが、携帯電話機１００の通話／通信機能（待受時）の待機状態も停止してしまうので、地上波デジタル放送用アプリケーションの起動を停止するのが実用上好ましい。
【００４７】
以上、携帯電話機１００によれば、携帯電話機１００の放置状態を判断するに際し、地磁気センサ１１を用いて検出した携帯電話機１００の３次元的な姿勢と、回転角度センサ１２を用いて検出した蓋筐体本体部３２の回転角度とにより表示部５の３次元的な姿勢を求め、更に表示画像の表示方向（表示部５の縦長方向を表示画像の上下方向とするか、横長方向を上下方向とするか）を考慮するため、テレビジョン放送を視聴するスタイルの違いに拘束されることなく放置状態の判断を行うことができる。このため、利便性を損なうことなく確実に省電力を実現することができる。
【００４８】
また、放置状態を判断するにあたり、所定時間の経過を監視し、また最終的な判断要素として表示部５にテレビジョン放送の停止を行う旨の報知を行うため、より確実な判断に基づいて省電力を行うことができ、実用上の利便性を特に発揮することができる。
【００４９】
なお、携帯電話機１００に、２軸ヒンジ機構を適用しているが、本体筐体に表示部を搭載したいわゆるスティックタイプ等の携帯電話機や、蓋筐体と本体筐体との端部を水平方向に回転可能とするベアリングで連結したリボルバータイプの携帯電話機や、蓋筐体と本体筐体とが前後方向にスライドするスライドタイプの携帯電話機等種々の携帯電話機に適用しても、放置状態を的確に判断し省電力化を図ることができる。
【００５０】
〔変形例１〕
上記実施の形態では、テレビジョン放送機能を例として「省電力処理」を説明したが、ストリーミング機能により映像を視聴する場合にも当然適用できるものである。ストリーミングアプリケーションとの協働による映像視聴の例を図８に示すフロー図を用いて説明する。なお、以下の説明では制御部１がＷｅｂブラウザとの協働により、インターネット上のホームページからストリーミングコンテンツとのリンクを要求し、ストリーミングコンテンツを格納するサーバマシンのアドレスを示すメタファイルを受信したものとして説明を行う。
【００５１】
ステップＳ２０１で、制御部１は、アンテナ２３、無線部９及び通信データ処理部２６を介してメタファイルを取得すると、ＲＯＭ２に格納されているストリーミングアプリケーションを起動する。
ステップＳ２０２で、制御部１は、アンテナ２３を介してメタファイルに記述されたアドレスに基づきストリーミングコンテンツを格納するサーバマシンにアクセスし、ストリーミングコンテンツのダウンロード要求信号を送信する。
【００５２】
ステップＳ２０３で、制御部１は、アンテナ２３を介してサーバマシンから所定転送レートで送信されるペイロードを受信し、ＲＡＭ３上で適宜ファイルの解凍を行い、ＲＴＰヘッダの内容に基づいて順次バッファに解凍した画像データを送信する。その後、バッファから表示部５に適宜画像データを送信させ、映像の再生表示を行う。
【００５３】
ステップＳ２０４で、制御部１は、地磁気センサ１１から３軸方向の検出値を取得し、次いでステップＳ２０５で、回転角度センサ１２から蓋筐体本体部３２の回転角度データを取得する。
その後、ステップＳ２０６で、制御部１はステップＳ２０４及びステップＳ２０５で取得した３軸方向の検出値と回転角度値から表示部５の３次元的な姿勢を演算により求める。
【００５４】
ステップＳ２０７で、制御部１は、ステップＳ２０６で求めた表示部５の３次元的な姿勢がストリーミング画像の上下方向と一致するか否かを判断する。ここで、一致とは両者の完全な一致に限らず、両者のズレ量が予め定めた閾値の範囲にあるか否かを含む意味である。なお、ストリーミングコンテンツは原則として画像の表示方向が表示部５の縦長の方向を上下とする。このため、「ビューモード画面」について考慮する必要がない。制御部１は、両者が一致すると判断する場合には、ステップＳ２０３に戻る。逆に、制御部１は、両者が一致しないと判断する場合には、ステップＳ２０９に進む。
【００５５】
ステップＳ２０９で、制御部１は、カウンタにより計時を開始する。なお、所定時間の計時を行うのは、上述のテレビジョン放送受信におけるステップＳ１０９と同様の趣旨であり、携帯電話機１００がユーザの都合や嗜好にあわせてあらゆる姿勢でストリーミング画像を視聴できるという特性を鑑みたものである。
【００５６】
ステップＳ２１０で、制御部１は、ステップＳ２０９で計時を開始した時間が、予め定められた所定の時間を超過するか否かを判断する。
制御部１は、所定の時間を経過しないと判断する場合はステップＳ２１１に進む（ステップＳ２１０：ＮＯ）。逆に、所定の時間を経過すると判断する場合はステップＳ２１２に進む（ステップＳ２１０：ＹＥＳ）。
【００５７】
ステップＳ２１１で、制御部１は、外部作用による何らかの入力信号を検出するか否かの判断を行う。なお、外部作用としては、上述のテレビジョン放送受信機能における場合と同様に、回転角度センサ１２からの回転角度データの入力又は携帯電話機１００の開状態を検出するセンサ（不図示）からの検出信号の入力等、ユーザが携帯電話機１００に対して何らかの外的要素を加えることにより生ずる信号等の変化である。
制御部１は、上述の変化を検出しない場合、ステップＳ２１０に戻り、引き続き所定時間を経過するか否かを判断する。逆に、制御部１は、上述の変化を検出すると判断する場合、ステップＳ２０３に戻る。
【００５８】
ステップＳ２１２で、制御部１は、ストリーミング画像の表示を停止する旨の報知を行う。即ち、表示部５にストリーミング画像の表示を停止する旨の画像を表示する。これにより、最終的な確認として、ユーザの視覚に直接問いかけを行い放置状態の判断をより確実に行うことができる。
なお、報知の手段はこれに限定されるものではなく、バイブレーション機能用の振動モータを使用してもよいし、音声出力部から音声案内又はピープ音等の報知音を出力してもよいし、音声着信や電子メール着信時等に点滅で着信等を報知するＬＥＤ等を点滅させてもよいし、これらを組み合わせてもよい。
【００５９】
ステップＳ２１３で、制御部１は、上述の各種信号の変化を検出するか否かを判断する。制御部１は、ステップＳ２１２で行った報知に対するユーザからの応答、即ち何らかの信号の変化を検出する場合、ステップＳ２０３に戻る。つまり、ユーザが映像を視聴しているものと判断する。逆に、制御部１は、上述の種々の信号の変化を検出しない場合、ステップＳ２１４に進む。これにより制御部１は、携帯電話機１００が放置状態であると最終的に判断を行う。
【００６０】
ステップＳ２１４で、制御部１は、ストリーミングアプリケーションの起動を停止する処理を行い、表示部５に待受け画面を表示する処理を行う。
なお、ここで携帯電話機１００の電源を切断する処理を行うことも当然に可能であるが、携帯電話機１００の通話／通信機能（待受時）の待機状態も停止してしまうので、ストリーミングアプリケーションの起動を停止するのが実用上好ましい。
【００６１】
以上のように、「省電力処理」を、ストリーミングコンテンツを視聴する場合に適用しても、実用上の利便性に欠けることなく省電力化を図ることができる。特に、ストリーミングアプリケーションの起動はネットワークとの通信も頻繁に行うため電力の消費が大きい。このため「省電力処理」により無駄な電力消費を低減することで、携帯電話機１００の長時間使用に大いに役立てることができる。
【００６２】
〔変形例２〕
更に、「省電力処理」を、撮像部１３を用いた撮像機能を実行する場合に適用しても好適である。既に述べたが、撮像機能において、制御部１は、入力部４やシャッタ釦（不図示）からの入力信号に基づいて撮像部１３で撮像を行うと、取得した画像データに対して圧縮処理を施してフラッシュメモリ６にファイルとして記録する。その後、撮像した画像の表示を行う際には、入力部４からの指示信号に基づいて所定の画像データを格納するファイルから圧縮された画像データをＲＡＭ３上に読み出し、伸長した画像データを生成した後に表示部５に出力して画像の閲覧を可能にする。
表示部５に撮像した画像を表示する際にも「省電力処理」を適用すると有効である。以下に、携帯電話機１００変形例２として、撮像アプリケーションを起動する際に「省電力処理」を適用した例を図９に示すフロー図を用いて説明する。
なお、以下の説明は、撮像画像表示時における処理である。
【００６３】
ステップＳ３０１で、制御部１は、ユーザによって入力部４が操作されることにより、撮像アプリケーションを起動する。
ステップＳ３０２で、制御部１はフラッシュメモリ６に格納された撮像画像データを格納した複数のファイルを順に読み出し、サムネイル画像を生成し、表示部５にサムネイル画像による撮像画像の一覧表を行う。
【００６４】
ステップＳ３０３で、制御部１は、ユーザの操作に基づいて入力部４から入力された撮像画像の選択信号に基づいて、フラッシュメモリ６から当該選択されたサムネイル画像に対応するファイルを読み出し表示部５に撮像画像を表示する。
【００６５】
ステップＳ３０４で、制御部１は、地磁気センサ１１から３軸方向のデータ（座標値）を取得し、ステップＳ３０５で、携帯電話機１００の３次元的な姿勢を演算により取得する。
【００６６】
次いで、ステップＳ３０６で、制御部１は、回転角度センサ１２から、蓋筐体本体部３２の回転角度データを取得する。
そして、ステップＳ３０７で、制御部１は、ステップＳ３０５及びＳ３０６で取得した携帯電話機１００の３次元的な姿勢及び回転角度から表示部５の姿勢を演算により求める。即ち、ステップＳ３０５で取得した、携帯電話機１００の３次元的な姿勢に基づいて回転角度センサ１２から取得した回転角度分の３次元的な位置を演算により求め、表示部５の３次元的な姿勢を求める。
【００６７】
ステップＳ３０８で、制御部１は、各画像ファイルのヘッダ部に記録されている画像の表示方向データを取得する。即ち、撮像画像は、上下方向を表示部５の縦長方向又は横長方向に切換え表示が可能であるため、ステップＳ３０７で取得した表示部５の３次元的な姿勢だけでは、画像の表示方向が自然であるか否かの判断ができない場合があるからである。
【００６８】
ステップＳ３０９で、制御部１は、ステップＳ３０７で求めた表示部５の姿勢と、ステップＳ３０８で取得した画像ファイルの表示方向データとに基づいて、両者が一致するか否かを判断する。なお、一致とは両者の完全な一致に限らず、両者のズレ量が予め定めた閾値の範囲にあるか否かを含む意味である。
また他の判断方法としては、表示部５の３次元的な姿勢と表示方向との相関関係に対して、放置状態であるか否かが逐次定められたテーブルをＲＯＭ２に記憶しておき、このテーブルを参照しながら両者の一致又は不一致を判断する構成としてもよい。
制御部１は、表示部５の姿勢と表示画像の表示方向が一致しないと判断する場合、ステップＳ３１０に進む（ステップＳ３０９：ＮＯ）。逆に、制御部１は、表示部５の姿勢と表示画像の表示方向が一致すると判断する場合、ステップＳ３０４に戻る。
【００６９】
ステップＳ３１０で、制御部１は、カウンタにより計時を開始する。即ち、携帯電話機１００のような携帯型電子機器は、ユーザの都合や嗜好にあわせてあらゆる姿勢で画像の視聴ができるという特徴を有するという趣旨による
【００７０】
ステップＳ３１１で、制御部１は、ステップＳ３１０で計時を開始した時間が、予め定められた所定の時間を超過するか否かを判断する。
制御部１は、所定の時間を経過しないと判断する場合はステップＳ３１２に進む。逆に、所定の時間を経過すると判断する場合はステップＳ３１３に進む。
【００７１】
ステップＳ３１２で、制御部１は、外部作用による何らかの入力信号を検出するか否かの判断を行う。即ち、ステップＳ３１０で計時を開始した所定の時間が経過するまでの間に、例えば、入力部４からの指示信号を検出すること等、少なくとも携帯電話機１００が放置状態にあることを否定する要素を検出するか否かを判断する。つまり、ステップＳ３１０及びステップＳ３１１で所定時間の経過を待つという処理の趣旨に鑑み、放置状態を的確に判断するとともに実用上の利便性を確保するためである。
なお、外部作用としては、回転角度センサ１２からの回転角度データの入力又は携帯電話機１００の開状態を検出するセンサ（不図示）からの検出信号の入力等、およそユーザが携帯電話機１００に対して何らかの外的要素を加えることにより生ずる信号等の変化であればよい。
制御部１は、上述の変化を検出しない場合、ステップＳ３１１に戻り、引き続き所定時間を経過するか否かを判断する。逆に、制御部１は、上述の変化を検出すると判断する場合、ステップＳ３０４に戻る。
【００７２】
ステップＳ３１３で、制御部１は、撮像画像の表示を停止する旨の報知を行う。即ち、表示部５に撮像画像の表示を停止する旨の画像を表示する。つまり、最終的な確認として、ユーザの視覚を通じて直接問いかけを行い、放置状態の判断をより確実に行うためである。
なお、報知の手段は、これに限定されるものではなく、バイブレーション機能用の振動モータを使用してもよいし、音声出力部から音声案内又はピープ音等の報知音を出力してもよいし、音声着信や電子メール着信時等に点滅で着信等を報知するＬＥＤ等を点滅させてもよいし、これらを組み合わせてもよい。
【００７３】
ステップＳ３１４で、制御部１は、上述の各種信号の変化を検出するか否かを判断する。制御部１は、ステップＳ３１０で行った報知に対するユーザからの応答、即ち何らかの信号の変化を検出する場合、ステップＳ３０４に戻る。つまり、ユーザが映像を視聴しているものと判断する。逆に、制御部１は、上述の種々の信号の変化を検出しない場合、ステップＳ３１５に進む。つまり、制御部１は、携帯電話機１００が放置状態であると最終的に判断を行う。
【００７４】
ステップＳ３１５で、制御部１は、撮像アプリケーションの起動を停止する処理を行い、表示部５に待受け画面を表示する処理を行う。
なお、ここで携帯電話機１００の電源を切断する処理を行うことも当然に可能であるが、携帯電話機１００の通話／通信機能（待受時）の待機状態も停止してしまうので、撮像アプリケーションの起動を停止するのが実用上好ましい。
【００７５】
このように、「省電力処理」を、撮像部１３で撮像した画像を表示する場合に適用しても、実用上の利便性に欠けることなく省電力化を図ることができ携帯電話機１００の長時間使用に大いに役立てることができる。
【００７６】
以上、最良の形態として、携帯電話機１００に種々のアプリケーションを機能させている場合における「省電力処理」について説明したが、携帯電話機１００は上述の例に限定されることなく、種々の構成を取ることができるのはいうまでもない。
【図面の簡単な説明】
【００７７】
【図１】携帯電話機１００の機能的構成を示したブロック図である。
【図２】携帯電話機１００の外観構成を示した斜視図である。
【図３】携帯電話機１００の変形形態の一例を示した模式図である。
【図４】携帯電話機１００の変形形態の一例を示した模式図である。
【図５】携帯電話機１００の変形形態の一例を示した模式図である。
【図６】携帯電話機１００の変形形態の一例を示した模式図である。
【図７】携帯電話機１００のテレビジョン放送受信機能の起動時における処理手順を示したフロー図である。
【図８】携帯電話機１００のストリーミング機能の起動時における処理手順を示したフロー図である。
【図９】携帯電話機１００の撮像機能の起動時における処理手順を示したフロー図である。
【符号の説明】
【００７８】
１  制御部
２  ＲＯＭ
３  ＲＡＭ
４  入力部
５  表示部
６  フラッシュメモリ
７  テレビチューナモジュール
８  音声出力部
９  無線部
１０  通信制御部
１１  地磁気センサ
１２  回転角度センサ
１３  撮像部
１４  グラフィックアクセラレータ
１５  音源ＬＳＩ
１６  ＡＭＰ
１７Ｌ、１７Ｒ  スピーカ
１８  送話部
１９  受話部
２２  アドレス・データバス処理部
２４  充電池
２７  開閉センサ
２８  凸部
３０  本体筐体
３１  蓋筐体
３２  蓋筐体本体部
３３  蓋筐体連結部
３５  第１ヒンジ部
３６  第２ヒンジ部
１００  携帯電話機
【図１】
2007258801.tif 000003
【図２】
2007258801.tif 000004
【図３】
2007258801.tif 000005
【図４】
2007258801.tif 000006
【図５】
2007258801.tif 000007
【図６】
2007258801.tif 000008
【図７】
2007258801.tif 000009
【図８】
2007258801.tif 000010
【図９】
2007258801.tif 000011